(57)【要約】  【課題】フォークリフトに設置された消火装置は、フォークリフト車体を保護するだけではなく、倉庫や荷物運搬場に置かれた荷物やラック等に火災が発生した場合は、消火装置として役に立つ。【解決手段】消火装置付フォークリフト１００は、車体１に立設されたマスト３にフォーク２を備え、上記フォーク２が昇降可能な構造を有するフォークリフト１００において、上記車体１に消火薬剤の貯蔵容器１１および消火栓放射ノズル１２またはフォーク放射ノズル１３を搭載し、上記放射ノズルを通して消火薬剤をフォークリフト１００の周囲に放射することができ、倉庫や荷物運搬場などに発生した火災を消火することができる。【選択図】  図１
2007246242.tif 000002
【特許請求の範囲】
【請求項１】
車体に立設されたマストにフォークを備え、上記フォークが昇降可能な構造を有するフォークリフトにおいて、
上記車体に消火薬剤の貯蔵容器および放射ノズルを搭載し、上記放射ノズルを通して消火薬剤をフォークリフトの周囲に放射することを特徴とする消火装置付フォークリフト。
【請求項２】
上記放射ノズルは消火栓ノズルで形成され、消火薬剤を当該消火栓ノズルを介してフォークリフトの周囲に放射することを特徴とする請求項１記載の消火装置付フォークリフト。
【請求項３】
上記放射ノズルは上記フォークの先端部に取付けられ、消火薬剤を当該フォークの先端部からフォークリフトの周囲に放射することを特徴とする請求項１記載の消火装置付フォークリフト。
【発明の詳細な説明】
【技術分野】
【０００１】
本発明は、パッケージタイプの消火装置をフォークリフトに設け、消火を容易に行うことに関するものである。
【背景技術】
【０００２】
従来、倉庫や荷物運搬場などの火災時の消火活動において、火災発見者が例えば消火器のような移動式消火装置のところへ駆けつけ、消火器を取り再度火源のところへ戻るという時間のロスによって、初期消火のチャンスを逃がされて、消火活動に失敗する可能性があった。また、消火栓のようなホースを用いる消火装置は、火災時消火栓格納箱のところに駆けつけそしてホースを引き出して火源まで戻るという時間を要するほか、倉庫や荷物運搬場なので現場の荷物やラックが障害物となり、消火栓ホースが引っかかるなど、消火活動が困難になってしまう問題があった。
【０００３】
一方、フォークリフトは荷物の積替え作業の運搬工具として、倉庫や荷物運搬場などによく利用されている。従来では、フォークリフトの車体に消火装置を取付け、フォークリフト自体に火災が発生するときに、所定の温度に達すると、車体に備えた消火剤を噴射管の先端によりフォークリフト車体に放射して、フォークリフトの火災を消すものがある（例えば、特許文献１）。
【特許文献１】特開２００３−３３５４９８号公報
【発明の開示】
【発明が解決しようとする課題】
【０００４】
ところで、上記のようなフォークリフトに設置された消火装置は、あくまでもフォークリフトの車体を保護するための消火装置であり、倉庫や荷物運搬場に置かれた荷物やラック等に火災が発生した場合は役に立たない。
【０００５】
本発明者は、上記事情に鑑み、倉庫や荷物運搬場などに火災が発生した場合、その現場にあるフォークリフトを利用して消火活動を行うために、フォークリフトにパッケージタイプの消火装置を装備させ、火災時にそのフォークリフトを運転し火源のところを近づけ、そしてそのパッケージタイプの消火装置を使って消火すればよいことに気づいた。
【課題を解決するための手段】
【０００６】
この発明は、車体に立設されたマストにフォークを備え、上記フォークが昇降可能な構造を有するフォークリフトにおいて、上記車体に消火薬剤の貯蔵容器および放射ノズルを搭載し、上記放射ノズルを通して消火薬剤をフォークリフトの周囲に放射することを特徴とする。
【０００７】
また、この発明は、上記放射ノズルが消火栓ノズルで形成され、消火薬剤を当該消火栓ノズルを介してフォークリフトの周囲に放射することを特徴とする。
【０００８】
また、この発明は、上記放射ノズルが上記フォークの先端部に取付けられ、消火薬剤を当該フォークの先端部からフォークリフトの周囲に放射することを特徴とする。
【発明の効果】
【０００９】
本発明によれば、車体に立設されたマストにフォークを備え、上記フォークが昇降可能な構造を有するフォークリフトにおいて、上記車体に消火薬剤の貯蔵容器および放射ノズルを搭載し、上記放射ノズルを通して消火薬剤をフォークリフトの周囲に放射することができるため、倉庫や荷物運搬場に一旦火災が発生した場合、現場にいる作業員（フォークリフトの運転者）がその場にあるフォークリフトをそのまま火源の近くまでに運転し、操作により放射ノズルを火源に向けて消火薬剤を噴射すれば、火災を初期段階で消すことができる。これは火災発見から消火器や消火栓の格納場所に駆けつけ、そしてその消火装置を携帯して再度火源のところに戻って消火する従来の消火方法と比べ、時間ロスが少なく、消火効果がよい。また、パッケージタイプの消火装置をフォークリフトに備えるので、フォークリフトがどこに行っても消火装置をその場に運ぶことができ、消火活動の範囲が広い。さらに、消火薬剤の貯蔵容器をフォークリフトに搭載するため、消火するときに作業員が消火薬剤の貯蔵容器を持つ必要がなく、消火器の場合と比べ作業員の負担が小さい。そのため消火薬剤の貯蔵容器を通常の消火器より大きく作ることができ、消火薬剤の増量分は消火器対応の小規模火災だけではなく、それ以上の中規模火災の消火にも有効である。
【００１０】
また、上記放射ノズルが消火栓ノズルで形成され、消火薬剤を当該消火栓ノズルを介してフォークリフトの周囲に放射することができるため、フォークリフトが火源を近づけると作業員がフォークリフトから降車し、消火栓ノズルを車体の所定の格納箱に取出して、火源に向かって消火薬剤を噴射することができる。そのとき、火源の近くまでに来ていたため、消火栓ホースの長さは従来のより短くて済み、消火栓ホースの引っかかる心配がなくなる。
【００１１】
また、上記放射ノズルがフォークの先端部に取付けられ、消火薬剤を当該フォークの先端部からフォークリフトの周囲に放射することができるため、消火効率がよい。特に、作業員の操作によりフォークを上下することができるため、その機能を利用すれば、放射ノズルを火源に照準させることは非常容易かつ正確となり、作業員が火源に接近しなくても消火することができ、従来の消火器や消火栓の操作より安全である。
【発明を実施するための最良の形態】
【００１２】
この発明を実施するための実施形態を図１および図２に示し、以下にこの消火装置付フォークリフトの構成及び作動の手順を簡単に説明する。
【００１３】
実施形態１
図１は本発明に関わる消火装置付フォークリフト１００の消火活動開始前の様子である。
【００１４】
フォークリフト１００は、その車体１の前方にフォーク２を昇降自在に案内するマスト３が立設され、フォーク２が前後方向に伸縮可能な構造を有している。荷物を運搬する場合、運転室４にいる作業員Ｐが、まずフォークリフト１００を運転して荷物の近くまでに移動させ、次に図示しない操作レバーを操作しながら、例えば荷物を載積するパレットやラックをピッチングするようにフォーク２の位置（上下前後）を調整する。そして、フォーク２で荷物を持ち上げてフォークリフト１００を運転して、荷物を所定の場所に移動する。
【００１５】
消火装置１０は、消火薬剤を貯蔵する消火薬剤貯蔵容器１１と、消火薬剤放射用の消火栓放射ノズル１２と、フォーク２の先端部に取付けられるフォーク放射ノズル１３と、詳細に示さないが、上記消火薬剤貯蔵容器１１の開閉を制御する起動装置１４と、消火栓放射ノズル１２とフォーク放射ノズル１３との切り替え用の選択レバー１５と、で構成されている。
【００１６】
消火薬剤貯蔵容器１１に貯蔵されている消火薬剤は、加圧媒体で加圧された液体のもの、例えば水や泡消火薬剤でよい、または粉末系の消火薬剤、あるいは不活性ガスでもよい。その加圧媒体は、消火薬剤貯蔵容器１１に充填して直接消火薬剤に加圧するか、または別の容器に充填して、起動装置１４の起動により消火薬剤貯蔵容器１１に加圧してもよい。起動装置１４と選択レバー１５は運転室４に設けられ、消火するときに作業員Ｐが選択レバーで放射ノズルを選択し、そして起動装置１４で消火薬剤貯蔵容器１１を開放するように仕組みを取っている。
【００１７】
図２は、作業員Ｐが消火栓放射ノズル１２を使用し、消火活動を行っていることを示している。
【００１８】
消火栓放射ノズル１２は、常時に車体１の所定位置の格納箱１６に格納されている。使用するときに、作業員Ｐが起動装置１４を起動した後に、消火栓放射ノズル１２を格納箱１６に取出して、現場で消火することができる。消火栓ホース１７の根元部には、図示しない開閉弁が取付けられて、その弁を操作しない限り、消火薬剤の放出はない。
【００１９】
以下、図１および図２の構成につき、この消火装置付フォークリフト１００が作動する手順を簡単に説明する。
【００２０】
倉庫や荷物運搬場の現場に火災Ｆが発生して、作業員Ｐがフォークリフト１００を運転して、火災Ｆの現場に到着する。
【００２１】
火災Ｆを確認した後に、作業員Ｐが選択レバー１５と起動装置１４を操作し、消火薬剤貯蔵容器１１を開放する。
【００２２】
作業員Ｐが降車し、格納箱１６から消火栓放射ノズル１２を取出し図示しない開放弁を開けて、消火栓放射ノズル１２を火災Ｆに向けて消火薬剤を放射する。
【００２３】
この実施形態１によれば、フォークリフト１００にパッケージタイプの消火装置１０を搭載し、消火薬剤を消火栓ノズル１２を介してフォークリフト１００の周囲に放射することができるため、時間ロスが少なく消火効果がよい。そのとき、フォークリフト１００が火源の近くまでに来ていたため、消火栓ホース１７の長さは従来のより短くて済み、消火栓ホース１７の引っかかる心配がなくなる。
【００２４】
実施形態２
図３は、作業員Ｐがフォーク放射ノズル１３を使って火災Ｆを消火していることを示している。
【００２５】
フォーク放射ノズル１３は、フォーク２の先端部に固着されている。作業員Ｐの操作により、フォーク２はマスト３に案内され上下方向に自在に昇降できる。またフォーク２が、フォークリフト１００の進行方向から見ると前後方向に伸縮することができ、したがって、フォーク放射ノズル１３が立体空間の任意方向に照準することができる。
【００２６】
以下、図１および図３の構造につき、この消火装置付フォークリフト１００が作動する手順を簡単に説明する。
【００２７】
倉庫や荷物運搬場の現場に火災Ｆが発生して、作業員Ｐがフォークリフト１００を運転して、火災Ｆの現場に到着する。
【００２８】
火災Ｆ確認後、作業員Ｐが操作レバーを調整して、フォーク２の先端部を昇降または伸縮させフォーク放射ノズル１３を火災Ｆに向ける。
【００２９】
フォーク放射ノズル１３の放射方向を火災Ｆに照準した後に、作業員Ｐが選択レバー１５と起動装置１４を操作して、消火薬剤貯蔵容器１１からの消火薬剤を火災Ｆに向け放射する。
【００３０】
フォーク２のアームを利用して、フォーク放射ノズル１３が必要に応じて火災Ｆの燃焼物に近接して消火薬剤を放射することもできる。そうすると、消火能力がアップし、燃焼物の内部火災の消火にも有効である。
【００３１】
この実施形態２によれば、作業員Ｐの操作によりフォーク２を上下するまたは伸縮することができるため、フォーク放射ノズル１３を火源に照準させることは非常容易かつ正確となり、作業員Ｐが火源に接近しなくても消火することができ、従来の消火器や消火栓の操作より安全である。
【００３２】
ここで、フォーク２は伸縮可能な構造を有することと記載したが、これに限定せず、例えばフォークがティルドアップ・ダウン可能な構造、または二本のフォークの間隔が調整できる構造を有してもよい。
【００３３】
このようにして、本発明に関わる消火装置付フォークリフト１００は、車体１に立設されたマスト３にフォーク２を備え、上記フォーク２が昇降可能な構造を有するフォークリフト１００において、上記車体１に消火薬剤の貯蔵容器１１および消火栓放射ノズル１２またはフォーク放射ノズル１３を搭載し、上記放射ノズルを通して消火薬剤をフォークリフト１００の周囲に放射することができ、倉庫や荷物運搬場などに発生した火災を消すことが容易になる。
【図面の簡単な説明】
【００３４】
【図１】実施形態１または２に係わる消火装置付フォークリフト１００である。
【図２】実施形態１に係わる消火装置付フォークリフト１００である。
【図３】実施形態２に係わる消火装置付フォークリフト１００である。
【符号の説明】
【００３５】
１００      消火装置付フォークリフト
１          車体
２          フォーク
３          マスト
４          運転室
１０        消火装置
１１        消火薬剤貯蔵容器
１２        消火栓放射ノズル
１３        フォーク放射ノズル
１４        起動装置
１５        選択レバー
１６        格納箱
１７        消火栓ホース
Ｐ          操作員
Ｆ          火災（火源）
【図１】
2007246242.tif 000003
【図２】
2007246242.tif 000004
【図３】
2007246242.tif 000005